(57)【要約】【課題】アイソレーション特性が良好でかつ小型なアンテナ装置を提供する。【解決手段】矩形状の導体板を複数のセグメントに分割し、セグメントの複数を除去し残存したセグメントからなる導体パターンが形成された導体部３と、導体部３の角部に設けられた給電部４と、を備え、表面で右旋円偏波を、裏面で左旋円偏波を送受信する平面アンテナ素子２を２つ有し、２つの平面アンテナ素子を、その表面Ｓが正面側を向くように同一平面上に左右方向に整列させて配置し、左側の平面アンテナ素子２の給電部４が左下の位置に、右側の平面アンテナ素子２の給電部４が左上の位置にくるように、両平面アンテナ素子２を配置した。【選択図】図１
2013145962.tif 000002
【特許請求の範囲】
【請求項１】
上下方向に延びる平行な２辺と左右方向に延びる平行な２辺を有する矩形状の導体板を、上下方向と左右方向に複数に等分して複数のセグメントに分割し、該セグメントの複数を除去し残存したセグメントからなる導体パターンが形成された導体部と、該導体部の上下方向および左右方向の端部である角部に設けられた給電部と、を備え、表面で右旋円偏波を、裏面で左旋円偏波を送受信する平面アンテナ素子を２つ有し、
該２つの平面アンテナ素子を、その表面が正面側を向くように同一平面上に左右方向に整列させて配置し、
左側の前記平面アンテナ素子の前記給電部が左下の位置に、右側の前記平面アンテナ素子の前記給電部が左上の位置にくるように、前記両平面アンテナ素子を配置した
ことを特徴とするアンテナ装置。
【請求項２】
上下方向に延びる平行な２辺と左右方向に延びる平行な２辺を有する矩形状の導体板を、上下方向と左右方向に複数に等分して複数のセグメントに分割し、該セグメントの複数を除去し残存したセグメントからなる導体パターンが形成された導体部と、該導体部の上下方向および左右方向の端部である角部に設けられた給電部と、を備え、表面で右旋円偏波を、裏面で左旋円偏波を送受信する平面アンテナ素子を２つ有し、
該２つの平面アンテナ素子を、その表面が正面側を向くように同一平面上に左右方向に整列させて配置し、
左側の前記平面アンテナ素子の前記給電部が左下の位置に、右側の前記平面アンテナ素子の前記給電部が右下の位置にくるように、前記両平面アンテナ素子を配置した
ことを特徴とするアンテナ装置。
【請求項３】
上下方向に延びる平行な２辺と左右方向に延びる平行な２辺を有する矩形状の導体板を、上下方向と左右方向に複数に等分して複数のセグメントに分割し、該セグメントの複数を除去し残存したセグメントからなる導体パターンが形成された導体部と、該導体部の上下方向および左右方向の端部である角部に設けられた給電部と、を備え、表面で右旋円偏波を、裏面で左旋円偏波を送受信する平面アンテナ素子を２つ有し、
該２つの平面アンテナ素子を、その表面が正面側を向くように同一平面上に左右方向に整列させて配置し、
左側の前記平面アンテナ素子の前記給電部が右上の位置に、右側の前記平面アンテナ素子の前記給電部が左上の位置にくるように、前記両平面アンテナ素子を配置した
ことを特徴とするアンテナ装置。
【請求項４】
上下方向に延びる平行な２辺と左右方向に延びる平行な２辺を有する矩形状の導体板を、上下方向と左右方向に複数に等分して複数のセグメントに分割し、該セグメントの複数を除去し残存したセグメントからなる導体パターンが形成された導体部と、該導体部の上下方向および左右方向の端部である角部に設けられた給電部と、を備え、表面で右旋円偏波を、裏面で左旋円偏波を送受信する平面アンテナ素子を２つ有し、
該２つの平面アンテナ素子を、その表面が正面側を向くように同一平面上に左右方向に整列させて配置し、
左側の前記平面アンテナ素子の前記給電部が右上の位置に、右側の前記平面アンテナ素子の前記給電部が右下の位置にくるように、前記両平面アンテナ素子を配置した
ことを特徴とするアンテナ装置。
【請求項５】
前記２つの平面アンテナ素子間の距離を、送受信する電波の波長の１／８以上１／４以下とした
請求項１〜４いずれかに記載のアンテナ装置。
【発明の詳細な説明】
【技術分野】
【０００１】
本発明は、同一周波数帯の円偏波を送受信するアンテナ素子を２つ用いたアンテナ装置に関するものである。
【背景技術】
【０００２】
従来より、直交する円偏波（右旋円偏波と左旋円偏波）に対応するために、右旋円偏波を送受信するアンテナ素子と、左旋円偏波を送受信するアンテナ素子の２つのアンテナ素子を用いたアンテナ装置が知られている。
【０００３】
特許文献１，２では、異なる周波数帯または同一周波数帯の右旋、左旋円偏波を送受信する２つのアンテナ素子を複合したアンテナ装置が提案されている。
【先行技術文献】
【特許文献】
【０００４】
【特許文献１】特開２０１０−１６１４３６号公報
【特許文献２】特開２００９−１９４８５０号公報
【特許文献３】特開平３−６９０３号公報
【特許文献４】特開平９−３０７３５０号公報
【特許文献５】特開２００６−２２２８４８号公報
【発明の概要】
【発明が解決しようとする課題】
【０００５】
ところで、例えば、アンテナ装置を設置するスペースが小さくアンテナ装置を所望の方向に向けて配置できない場合や、限定された所望エリアでの送受信を可能としたい場合等には、放射指向性を考慮しビームチルトが可能なアンテナ装置が望まれる。
【０００６】
しかしながら、同一周波数帯の円偏波を送受信するアンテナ素子を２つ用いたアンテナ装置において、ビームチルトが可能なアンテナ装置はこれまで提案されていなかった。
【０００７】
本発明は上記事情に鑑み為されたものであり、同一周波数帯の円偏波を送受信する２つのアンテナ素子を用いたアンテナ装置において、ビームチルトが可能なアンテナ装置を提供することを目的とする。
【課題を解決するための手段】
【０００８】
本発明は上記目的を達成するために創案されたものであり、上下方向に延びる平行な２辺と左右方向に延びる平行な２辺を有する矩形状の導体板を、上下方向と左右方向に複数に等分して複数のセグメントに分割し、該セグメントの複数を除去し残存したセグメントからなる導体パターンが形成された導体部と、該導体部の上下方向および左右方向の端部である角部に設けられた給電部と、を備え、表面で右旋円偏波を、裏面で左旋円偏波を送受信する平面アンテナ素子を２つ有し、該２つの平面アンテナ素子を、その表面が正面側を向くように同一平面上に左右方向に整列させて配置し、左側の前記平面アンテナ素子の前記給電部が左下の位置に、右側の前記平面アンテナ素子の前記給電部が左上の位置にくるように、前記両平面アンテナ素子を配置したアンテナ装置である。
【０００９】
また、本発明は、上下方向に延びる平行な２辺と左右方向に延びる平行な２辺を有する矩形状の導体板を、上下方向と左右方向に複数に等分して複数のセグメントに分割し、該セグメントの複数を除去し残存したセグメントからなる導体パターンが形成された導体部と、該導体部の上下方向および左右方向の端部である角部に設けられた給電部と、を備え、表面で右旋円偏波を、裏面で左旋円偏波を送受信する平面アンテナ素子を２つ有し、該２つの平面アンテナ素子を、その表面が正面側を向くように同一平面上に左右方向に整列させて配置し、左側の前記平面アンテナ素子の前記給電部が左下の位置に、右側の前記平面アンテナ素子の前記給電部が右下の位置にくるように、前記両平面アンテナ素子を配置したアンテナ装置である。
【００１０】
また、本発明は、上下方向に延びる平行な２辺と左右方向に延びる平行な２辺を有する矩形状の導体板を、上下方向と左右方向に複数に等分して複数のセグメントに分割し、該セグメントの複数を除去し残存したセグメントからなる導体パターンが形成された導体部と、該導体部の上下方向および左右方向の端部である角部に設けられた給電部と、を備え、表面で右旋円偏波を、裏面で左旋円偏波を送受信する平面アンテナ素子を２つ有し、該２つの平面アンテナ素子を、その表面が正面側を向くように同一平面上に左右方向に整列させて配置し、左側の前記平面アンテナ素子の前記給電部が右上の位置に、右側の前記平面アンテナ素子の前記給電部が左上の位置にくるように、前記両平面アンテナ素子を配置したアンテナ装置である。
【００１１】
また、本発明は、上下方向に延びる平行な２辺と左右方向に延びる平行な２辺を有する矩形状の導体板を、上下方向と左右方向に複数に等分して複数のセグメントに分割し、該セグメントの複数を除去し残存したセグメントからなる導体パターンが形成された導体部と、該導体部の上下方向および左右方向の端部である角部に設けられた給電部と、を備え、表面で右旋円偏波を、裏面で左旋円偏波を送受信する平面アンテナ素子を２つ有し、該２つの平面アンテナ素子を、その表面が正面側を向くように同一平面上に左右方向に整列させて配置し、左側の前記平面アンテナ素子の前記給電部が右上の位置に、右側の前記平面アンテナ素子の前記給電部が右下の位置にくるように、前記両平面アンテナ素子を配置したアンテナ装置である。
【００１２】
前記２つの平面アンテナ素子間の距離を、送受信する電波の波長の１／８以上１／４以下としてもよい。
【発明の効果】
【００１３】
本発明によれば、同一周波数帯の円偏波を送受信する２つのアンテナ素子を用いたアンテナ装置において、ビームチルトが可能なアンテナ装置を提供できる。
【図面の簡単な説明】
【００１４】
【図１】本発明の第１の実施の形態に係るアンテナ装置の正面図である。
【図２】（ａ）は図１のアンテナ装置を１８０度回転させた図、（ｂ）は図１のアンテナ装置を裏面側から見た図、（ｃ）は図１のアンテナ装置を１８０度回転させ裏面側から見た図である。
【図３】（ａ）〜（ｅ）は、図１のアンテナ装置の右旋円偏波、左旋円偏波の利得の特性を示す図である。
【図４】（ａ）〜（ｅ）は、図２（ａ）のアンテナ装置の右旋円偏波、左旋円偏波の利得の特性を示す図である。
【図５】本発明の第２の実施の形態に係るアンテナ装置の正面図である。
【図６】（ａ）は図５のアンテナ装置を１８０度回転させた図、（ｂ）は図５のアンテナ装置を裏面側から見た図、（ｃ）は図５のアンテナ装置を１８０度回転させ裏面側から見た図である。
【図７】（ａ）〜（ｅ）は、図５のアンテナ装置の右旋円偏波、左旋円偏波の利得の特性を示す図である。
【図８】本発明の第３の実施の形態に係るアンテナ装置の正面図である。
【図９】（ａ）は図８のアンテナ装置を１８０度回転させた図、（ｂ）は図８のアンテナ装置を裏面側から見た図、（ｃ）は図８のアンテナ装置を１８０度回転させ裏面側から見た図である。
【図１０】（ａ）〜（ｅ）は、図８のアンテナ装置の右旋円偏波、左旋円偏波の利得の特性を示す図である。
【図１１】本発明の第４の実施の形態に係るアンテナ装置の正面図である。
【図１２】（ａ）は図１１のアンテナ装置を１８０度回転させた図、（ｂ）は図１１のアンテナ装置を裏面側から見た図、（ｃ）は図１１のアンテナ装置を１８０度回転させ裏面側から見た図である。
【図１３】（ａ）〜（ｅ）は、図１１のアンテナ装置の右旋円偏波、左旋円偏波の利得の特性を示す図である。
【図１４】（ａ），（ｂ）は、給電位置を変更した比較例のアンテナ装置の右旋円偏波、左旋円偏波の利得の特性を示す図である。
【図１５】（ａ），（ｂ）は、給電位置を変更した比較例のアンテナ装置の右旋円偏波、左旋円偏波の利得の特性を示す図である。
【発明を実施するための形態】
【００１５】
以下、本発明の実施の形態を添付図面にしたがって説明する。
【００１６】
図１は、第１の実施の形態に係るアンテナ装置の正面図である。
【００１７】
図１に示すように、アンテナ装置１は、表面Ｓで右旋円偏波を、裏面Ｒで左旋円偏波を送受信する平面アンテナ素子２を２つ有している。これら２つの平面アンテナ素子２は、全く同じ構成のものである。
【００１８】
平面アンテナ素子２は、上下方向に延びる平行な２辺と左右方向に延びる平行な２辺を有する矩形状の導体板を、上下方向と左右方向に複数に等分して複数のセグメントに分割し、該セグメントの複数を除去し残存したセグメントからなる導体パターンが形成された導体部３と、導体部３の上下方向および左右方向の端部である角部に設けられた給電部４と、を備えている。
【００１９】
本実施の形態では、正方形状の導体板を用い、導体板を上下方向と左右方向に２０等分して４００のセグメントに分割し、アンテナ設計シミュレータを用いて、所望のアンテナ特性が得られるように除去するセグメント（つまり導体部３の導体パターンの形状）を決定した。本実施の形態では、無線ＬＡＮ用に用いられる２．５ＧＨｚ帯の円偏波を送受信できるように、図１に示す通りの形状に導体部３を形成した。なお、導体部３の設計方法やアンテナ設計シミュレータについては、特許文献５に詳しく記載されているため、ここでは説明を省略する。
【００２０】
給電部４には、同軸ケーブルで給電を行うことが好ましい。同軸ケーブルで給電を行うことで、低損失の給電が可能となり、放射効率の低下を防ぐことができる。
【００２１】
さて、第１の実施の形態に係るアンテナ装置１では、２つの平面アンテナ素子２を、その表面Ｓが正面側を向くように同一平面上に左右方向に整列させて配置しており、かつ、左側の平面アンテナ素子２ａの給電部４が左下の位置に、右側の平面アンテナ素子２ｂの給電部４が左上の位置にくるように、両平面アンテナ素子２ａ，２ｂを配置している。
【００２２】
右側の平面アンテナ素子２ｂは、左側の平面アンテナ素子２ａに対して時計回りに９０°回転させた配置となっている。両平面アンテナ素子２ａ，２ｂは、共に正面側で右旋円偏波を送受信し、正面と反対側（裏面側）で左旋円偏波を送受信するように配置されることになる。
【００２３】
なお、２つの平面アンテナ素子２ａ，２ｂを、両者を配置する平面内で１８０度回転させると、図２（ａ）のようになるが、これは図１のアンテナ装置１と全く同じものである。つまり、第１の実施の形態に係るアンテナ装置１は、２つの平面アンテナ素子２ａ，２ｂを、その表面Ｓが正面側を向くように配置し、かつ、左側の平面アンテナ素子２ｂの給電部４が右下の位置に、右側の平面アンテナ素子２ａの給電部４が右上の位置にくるように、両平面アンテナ素子２ａ，２ｂを配置したもの、と換言することもできる。
【００２４】
また、図１のアンテナ装置１を裏面側から見ると、図２（ｂ）のようになる。よって、第１の実施の形態に係るアンテナ装置１は、２つの平面アンテナ素子２ａ，２ｂを、その裏面Ｒが正面側を向くように配置し、かつ、左側の平面アンテナ素子２ｂの給電部４が右上の位置に、右側の平面アンテナ素子２ａの給電部４が右下の位置にくるように、両平面アンテナ素子２ａ，２ｂを配置したもの、と換言することもできる。
【００２５】
さらに、図１のアンテナ装置１を、両者を配置する平面内で１８０度回転させた後に裏面側から見ると（つまり図２（ａ）を裏面側から見ると）、図２（ｃ）のようになる。よって、第１の実施の形態に係るアンテナ装置１は、２つの平面アンテナ素子２ａ，２ｂを、その裏面Ｒが正面側を向くように配置し、かつ、左側の平面アンテナ素子２ａの給電部４が左上の位置に、右側の平面アンテナ素子２ｂの給電部４が左下の位置にくるように、両平面アンテナ素子２ａ，２ｂを配置したもの、と換言することもできる。
【００２６】
ここで、２つの平面アンテナ素子２ａ，２ｂ間の距離Ｌを変化させたときのアンテナ装置１の右旋円偏波、左旋円偏波の利得の特性を図３に示す。図３では、２つの平面アンテナ素子２ａ，２ｂ間の距離Ｌを１５ｍｍ、３０ｍｍ、６０ｍｍ、９０ｍｍ、１２０ｍｍと変化させたときの両円偏波の利得の特性を示している。アンテナ装置１では、２．５ＧＨｚ帯の電波を送受信するため、送受信する電波の波長をλとすると、１５ｍｍはλ／８、３０ｍｍはλ／４、６０ｍｍはλ／２、９０ｍｍは３λ／４、１２０ｍｍはλにそれぞれ相当する。
【００２７】
図３（ａ）〜（ｅ）に示すように、アンテナ装置１では、２つの平面アンテナ素子２ａ，２ｂ間の距離Ｌを変化させると、ビームチルト特性が変化する。つまり、アンテナ装置１では、２つの平面アンテナ素子２ａ，２ｂ間の距離Ｌを調整することにより、ビームチルト特性（ビームチルトの方向）を調整することができる。なお、ビームチルトが最も顕著となるのは図３（ａ），（ｂ）に示すＬ＝１５ｍｍ（λ／８），３０ｍｍ（λ／４）の場合であり、距離Ｌをλ／８以上λ／４以下とすれば、特に顕著なビームチルト特性を得ることができる。なお、距離Ｌがλ／８未満であると、両平面アンテナ素子２ａ，２ｂが接近し過ぎ、アンテナ特性が劣化してしまう。
【００２８】
図１のアンテナ装置１を１８０°回転させた図２（ａ）のアンテナ装置の右旋円偏波、左旋円偏波の利得の特性を図４に示す。図３と図４を比較すれば分かるように、アンテナ装置１を１８０°回転させると、ビームチルト特性も反転する。つまり、アンテナ装置１では、アンテナ装置１を回転させることにより、ビームチルトの方向を選択することができる。
【００２９】
次に、第２の実施の形態を説明する。
【００３０】
図５に示すように、第２の実施の形態に係るアンテナ装置５１は、基本的に図１のアンテナ装置１と同じ構成であり、２つの平面アンテナ素子２ａ，２ｂの給電位置を変更したものである。
【００３１】
アンテナ装置５１では、２つの平面アンテナ素子２ａ，２ｂを、その表面Ｓが正面側を向くように同一平面上に左右方向に整列させて配置し、左側の平面アンテナ素子２ａの給電部４が左下の位置に、右側の平面アンテナ素子２ｂの給電部が右下の位置にくるように、両平面アンテナ素子２ａ，２ｂを配置する。
【００３２】
なお、図５のアンテナ装置５１を、平面アンテナ素子２ａ，２ｂを配置する平面内で１８０度回転させると、図６（ａ）のようになるので、第２の実施の形態に係るアンテナ装置５１は、２つの平面アンテナ素子２ａ，２ｂを、その表面Ｓが正面側を向くように配置し、かつ、左側の平面アンテナ素子２ｂの給電部４が左上の位置に、右側の平面アンテナ素子２ａの給電部４が右上の位置にくるように、両平面アンテナ素子２ａ，２ｂを配置したもの、と換言することもできる。
【００３３】
また、図５のアンテナ装置５１を裏面側から見ると、図６（ｂ）のようになるので、第２の実施の形態に係るアンテナ装置５１は、２つの平面アンテナ素子２ａ，２ｂを、その裏面Ｒが正面側を向くように配置し、かつ、左側の平面アンテナ素子２ｂの給電部４が左下の位置に、右側の平面アンテナ素子２ａの給電部４が右下の位置にくるように、両平面アンテナ素子２ａ，２ｂを配置したもの、と換言することもできる。
【００３４】
さらに、図５のアンテナ装置５１を、両者を配置する平面内で１８０度回転させた後に裏面側から見ると（つまり図６（ａ）を裏面側から見ると）、図６（ｃ）のようになるので、第２の実施の形態に係るアンテナ装置５１は、２つの平面アンテナ素子２ａ，２ｂを、その裏面Ｒが正面側を向くように配置し、かつ、左側の平面アンテナ素子２ａの給電部４が左上の位置に、右側の平面アンテナ素子２ｂの給電部４が右上の位置にくるように、両平面アンテナ素子２ａ，２ｂを配置したもの、と換言することもできる。
【００３５】
２つの平面アンテナ素子２ａ，２ｂ間の距離Ｌを変化させたときのアンテナ装置５１の右旋円偏波、左旋円偏波の利得の特性を図７に示す。
【００３６】
図７（ａ）〜（ｅ）に示すように、アンテナ装置５１では、上述のアンテナ装置１と同様に、２つの平面アンテナ素子２ａ，２ｂ間の距離Ｌを調整することにより、ビームチルト特性を調整することができる。また、距離Ｌをλ／８以上λ／４以下とすれば、特に顕著なビームチルト特性を得ることができる。なお、図示していないが、図５のアンテナ装置５１を１８０°回転させて図６（ａ）のように配置すると、ビームチルト特性は反転する。
【００３７】
次に、第３の実施の形態を説明する。
【００３８】
図８に示すように、第３の実施の形態に係るアンテナ装置８１は、２つの平面アンテナ素子２ａ，２ｂを、その表面Ｓが正面側を向くように同一平面上に左右方向に整列させて配置し、左側の平面アンテナ素子２ａの給電部４が右上の位置に、右側の平面アンテナ素子２ｂの給電部が左上の位置にくるように、両平面アンテナ素子２ａ，２ｂを配置したものである。
【００３９】
図８のアンテナ装置８１を、平面アンテナ素子２ａ，２ｂを配置する平面内で１８０度回転させると、図９（ａ）のようになるので、第３の実施の形態に係るアンテナ装置８１は、２つの平面アンテナ素子２ａ，２ｂを、その表面Ｓが正面側を向くように配置し、かつ、左側の平面アンテナ素子２ｂの給電部４が右下の位置に、右側の平面アンテナ素子２ａの給電部４が左下の位置にくるように、両平面アンテナ素子２ａ，２ｂを配置したもの、と換言することもできる。
【００４０】
また、図８のアンテナ装置８１を裏面側から見ると、図９（ｂ）のようになるので、第３の実施の形態に係るアンテナ装置８１は、２つの平面アンテナ素子２ａ，２ｂを、その裏面Ｒが正面側を向くように配置し、かつ、左側の平面アンテナ素子２ｂの給電部４が右上の位置に、右側の平面アンテナ素子２ａの給電部４が左上の位置にくるように、両平面アンテナ素子２ａ，２ｂを配置したもの、と換言することもできる。
【００４１】
さらに、図８のアンテナ装置８１を、両者を配置する平面内で１８０度回転させた後に裏面側から見ると（つまり図９（ａ）を裏面側から見ると）、図９（ｃ）のようになるので、第３の実施の形態に係るアンテナ装置８１は、２つの平面アンテナ素子２ａ，２ｂを、その裏面Ｒが正面側を向くように配置し、かつ、左側の平面アンテナ素子２ａの給電部４が右下の位置に、右側の平面アンテナ素子２ｂの給電部４が左下の位置にくるように、両平面アンテナ素子２ａ，２ｂを配置したもの、と換言することもできる。
【００４２】
２つの平面アンテナ素子２ａ，２ｂ間の距離Ｌを変化させたときのアンテナ装置８１の右旋円偏波、左旋円偏波の利得の特性を図１０に示す。
【００４３】
図１０（ａ）〜（ｅ）に示すように、アンテナ装置８１では、上述のアンテナ装置１，５１と同様に、２つの平面アンテナ素子２ａ，２ｂ間の距離Ｌを調整することにより、ビームチルト特性を調整することができる。また、距離Ｌをλ／８以上λ／４以下とすれば、特に顕著なビームチルト特性を得ることができる。なお、図示していないが、図８のアンテナ装置８１を１８０°回転させて図９（ａ）のように配置すると、ビームチルト特性は反転する。
【００４４】
次に、第４の実施の形態を説明する。
【００４５】
図１１に示すように、第４の実施の形態に係るアンテナ装置１１１は、２つの平面アンテナ素子２ａ，２ｂを、その表面Ｓが正面側を向くように同一平面上に左右方向に整列させて配置し、左側の平面アンテナ素子２ａの給電部４が右上の位置に、右側の平面アンテナ素子２ｂの給電部が右下の位置にくるように、両平面アンテナ素子２ａ，２ｂを配置したものである。
【００４６】
図１１のアンテナ装置１１１を、平面アンテナ素子２ａ，２ｂを配置する平面内で１８０度回転させると、図１２（ａ）のようになるので、第４の実施の形態に係るアンテナ装置１１１は、２つの平面アンテナ素子２ａ，２ｂを、その表面Ｓが正面側を向くように配置し、かつ、左側の平面アンテナ素子２ｂの給電部４が左上の位置に、右側の平面アンテナ素子２ａの給電部４が左下の位置にくるように、両平面アンテナ素子２ａ，２ｂを配置したもの、と換言することもできる。
【００４７】
また、図１１のアンテナ装置１１１を裏面側から見ると、図１２（ｂ）のようになるので、第４の実施の形態に係るアンテナ装置１１１は、２つの平面アンテナ素子２ａ，２ｂを、その裏面Ｒが正面側を向くように配置し、かつ、左側の平面アンテナ素子２ｂの給電部４が左下の位置に、右側の平面アンテナ素子２ａの給電部４が左上の位置にくるように、両平面アンテナ素子２ａ，２ｂを配置したもの、と換言することもできる。
【００４８】
さらに、図１１のアンテナ装置１１１を、両者を配置する平面内で１８０度回転させた後に裏面側から見ると（つまり図１２（ａ）を裏面側から見ると）、図１２（ｃ）のようになるので、第４の実施の形態に係るアンテナ装置１１１は、２つの平面アンテナ素子２ａ，２ｂを、その裏面Ｒが正面側を向くように配置し、かつ、左側の平面アンテナ素子２ａの給電部４が右下の位置に、右側の平面アンテナ素子２ｂの給電部４が右上の位置にくるように、両平面アンテナ素子２ａ，２ｂを配置したもの、と換言することもできる。
【００４９】
２つの平面アンテナ素子２ａ，２ｂ間の距離Ｌを変化させたときのアンテナ装置１１１の右旋円偏波、左旋円偏波の利得の特性を図１３に示す。
【００５０】
図１３（ａ）〜（ｅ）に示すように、アンテナ装置１１１では、上述のアンテナ装置１，５１，８１と同様に、２つの平面アンテナ素子２ａ，２ｂ間の距離Ｌを調整することにより、ビームチルト特性を調整することができる。また、距離Ｌをλ／８以上λ／４以下とすれば、特に顕著なビームチルト特性を得ることができる。なお、図示していないが、図１１のアンテナ装置１１１を１８０°回転させて図１２（ａ）のように配置すると、ビームチルト特性は反転する。
【００５１】
ここで、本発明のアンテナ装置１，５１，８１，１１１との比較のために、給電位置を変更した比較例のアンテナ装置の右旋円偏波、左旋円偏波の利得の特性を図１４，１５に示す。
【００５２】
図１４（ａ），（ｂ）に示すように、２つの平面アンテナ素子２ａ，２ｂを表面Ｓが正面側を向くように配置したときの給電位置を左下−左下、右下−右下とした場合（ハイフンの左側が左側の平面アンテナ素子２ａの給電位置、ハイフンの右側が右側の平面アンテナ素子２ｂの給電位置を表すとする）、両平面アンテナ素子２ａ，２ｂの給電位置が同じで、単に同一のアンテナ素子を整列配置したのみであるから、通常のアレイアンテナと同様に、アレイ効果により放射利得を高め合う効果のみが得られ、ビームチルト効果は得られない。なお、給電位置を右上−右上とした場合は、図１４（ａ）のアンテナ装置を１８０度回転させた場合に対応し、給電位置を左上−左上とした場合は、図１４（ｂ）のアンテナ装置を１８０度回転させた場合に対応するので、いずれにおいてもビームチルト効果は得られない。
【００５３】
図１５（ａ），（ｂ）に示すように、２つの平面アンテナ素子２ａ，２ｂを表面Ｓが正面側を向くように配置したときの給電位置を左下−右上、右下−左上とした場合にも、ビームチルト効果は得られない。なお、図示していないが、２つの平面アンテナ素子２ａ，２ｂを表面Ｓが正面側を向くように配置したときの給電位置を右上−左下、左上−右下とした場合にも、ビームチルト効果は得られなかった。
【００５４】
つまり、２つの平面アンテナ素子２ａ，２ｂを表面Ｓが正面側を向くように配置したときの給電位置を、アンテナ装置１のように左下−左上（あるいは右下−右上）とするか、アンテナ装置５１のように左下−右下（あるいは左上−右上）とするか、アンテナ装置８１のように右上−左上（あるいは右下−左下）とするか、アンテナ装置１１１のように右上−右下（あるいは左上−左下）としない限り、ビームチルト効果を得ることはできない。
【００５５】
以上説明したように、本発明のアンテナ装置１，５１，８１，１１１によれば、同一周波数帯の円偏波を送受信する２つのアンテナ素子（平面アンテナ素子２ａ，２ｂ）を用いたアンテナ装置において、ビームチルトが可能となる。よって、例えば、アンテナ装置を設置するスペースが小さくアンテナ装置を所望の方向に向けて配置できない場合や、限定された所望エリアでの送受信を可能としたい場合等にも対応することが可能になる。
【００５６】
本発明のアンテナ装置１，５１，８１，１１１では、２つの平面アンテナ素子２ａ，２ｂの給電位置を適宜選択するのみでビームチルトが可能となるため構成が容易であり、移相器などビームチルト用の特別な装置を用いないため、小型かつ低コストである。
【００５７】
本発明のアンテナ装置１，５１，８１，１１１は、例えば、送受信範囲を所望のエリアに限定したリピータ（中継器）の受信用ダイバーシチアンテナ装置として用いることができる。
【００５８】
本発明は上記実施の形態に限定されるものではなく、本発明の趣旨を逸脱しない範囲で種々の変更を加え得ることは勿論である。
【符号の説明】
【００５９】
１  アンテナ装置
２  平面アンテナ素子
３  導体部
４  給電部
【図１】
2013145962.tif 000003
【図２】
2013145962.tif 000004
【図３】
2013145962.tif 000005
【図４】
2013145962.tif 000006
【図５】
2013145962.tif 000007
【図６】
2013145962.tif 000008
【図７】
2013145962.tif 000009
【図８】
2013145962.tif 000010
【図９】
2013145962.tif 000011
【図１０】
2013145962.tif 000012
【図１１】
2013145962.tif 000013
【図１２】
2013145962.tif 000014
【図１３】
2013145962.tif 000015
【図１４】
2013145962.tif 000016
【図１５】
2013145962.tif 000017